(57)【要約】      （修正有）【課題】オーラルセックス時における男性の快感の低下を可及的に抑え、女性の不快感も抑制可能であり、また、自慰行為や性風俗店等におけるサービスにおいて、精液の飛散に伴う不衛生を抑制可能で、性感染症の予防効果も有する新規な精液飛散防止具を提供する。【解決手段】亀頭部を覆う形状のゴム部材２と、ゴム部材２内に装着される吸収材３と、ゴム部材２の亀頭と接する側の周縁部に塗布された接着剤４とにより構成した。ゴム部材２及び吸収材３を円形に形成した。ゴム部材２の直径を２〜３センチメートルに構成した。【選択図】図１
0003186770.tif 000002
【実用新案登録請求の範囲】
【請求項１】
亀頭部を覆う形状のゴム部材と、ゴム部材内に装着される吸収材と、ゴム部材の亀頭と接する側の周縁部に塗布された接着剤と、により成る精液飛散防止具。
【請求項２】
ゴム部材及び吸収材を円形に形成した請求項１に記載の精液飛散防止具。
【請求項３】
ゴム部材の直径が２〜３センチメートルである請求項２に記載の精液飛散防止具。
【考案の詳細な説明】
【技術分野】
【０００１】
本考案は、精液飛散防止具に関し、より詳しくはオーラルセックス時等における男性の快感の向上及び女性の不快感の低減を図ることが可能であり、しかも性感染症の予防も可能な精液飛散防止具に関する。
【背景技術】
【０００２】
性行為時に精液の飛散を防止するためだけの目的を有する用具は存在しない。避妊のために使用されるコンドームが、副次的に精液の飛散を防止する効果を有するに過ぎない。
【０００３】
コンドームは性感染症の予防効果も高い安全な避妊用具である。しかし、性交時における滑落による妊娠の恐れや、陰茎全体を覆ってしまうことに伴う、主に男性の快感の低下という問題点がある。
【０００４】
特許文献１には、コンドームの側面に孔部を形成し、もって直接摩擦することができることから快感を得ることが可能なコンドームが開示されている。
【０００５】
特許文献２には、コンドーム内周面に接着剤層を設けることで、滑落を防止するコンドームが開示されている。
【０００６】
特許文献３には、コンドーム内周面に環状突起を設けることで、滑落を防止するコンドームが開示されている。
【０００７】
特許文献４には、亀頭部のみに装着する形状のコンドームが開示されている。
【先行技術文献】
【特許文献】
【０００８】
【特許文献１】特開２００９−２７３８５１号公報
【特許文献２】特開２００９−２６１９３９号公報
【特許文献３】特開２００９−１９５６８４号公報
【特許文献４】特開２００８−７３３５１号公報
【考案の概要】
【考案が解決しようとする課題】
【０００９】
コンドームはその第一の目的である避妊のためには、陰茎全体をしっかり覆う形状であることが望ましい。
【００１０】
しかし、陰茎全体を覆ってしまうと、男性にとっては心理的に快感が低下してしまうという難点がある。
【００１１】
また、亀頭部を覆ってしまうと、物理的にも快感が低下してしまうという難点がある。
【００１２】
そこで本考案は、オーラルセックス時における男性の快感の低下を可及的に抑え、女性の不快感も抑制可能であり、また、自慰行為や性風俗店等におけるサービスにおいて、精液の飛散に伴う不衛生を抑制可能であり、しかも性感染症の予防効果も有する新規な精液飛散防止具を提供することを目的とする。
【課題を解決するための手段】
【００１３】
上記の目的を達成する本考案の構成は次の通りである。
【００１４】
（１）  請求項１に記載の考案は、亀頭部を覆う形状のゴム部材と、ゴム部材内に装着される吸収材と、ゴム部材の亀頭と接する側の周縁部に塗布された接着剤とにより構成した。
【００１５】
（２）  請求項２に記載の考案は、請求項１に記載の精液飛散防止具において、ゴム部材及び吸収材を円形に形成した。
【００１６】
（３）  請求項３に記載の考案は、請求項２に記載の精液飛散防止具において、ゴム部材の直径を２〜３センチメートルに構成した。
【考案の効果】
【００１７】
上記のように構成される本考案が、如何に作用して課題を解決するかを図面を参照しながら概説する。
【００１８】
図４は、本考案の使用状態を示す説明図である。本考案にかかる精液飛散防止具１は、陰茎５の亀頭部５ａに接着して使用するものである。つまり、亀頭部５ａ以外の陰茎は露出状態となり、オーラルセックス時における男性にとっての心理的快感の低下を可及的に抑制可能となる。
【００１９】
また、精液の放出口である尿道口近辺さえ覆えば、吸収材３で射精された精液を捕集することが可能であることから、亀頭部５ａも全体が精液飛散防止具１によって覆われる必要はなく、雁の部分などは露出することから、男性の物理的快感の低下も可及的に抑制可能となる。
【００２０】
また、オーラルセックス時において射精しても吸収材３によって精液は捕集されることから、つまりは口内に精液が飛散することを防止できることから、女性の不快感の低下を図ることが可能となる。
【００２１】
自慰行為や性風俗店における手指を用いたマッサージ時などにおいても、本考案にかかる精液飛散防止具を装着して行えば、射精された精液は、吸収材３で捕集されることから、周囲に飛び散ることがなく、衛生面での向上が図れるものである。
【００２２】
また、性感染症は主に尿道口よりウイスルが侵入することにより伝染するが、本考案は男性の尿道口を覆うのに十分な大きさを有することから、十分な予防効果を有するものとなる。
【００２３】
以上のよう本考案は、亀頭の先端に配置できる小さな絆創膏状であり、実際に小さいサイズを有し、また精液飛散防止具からの精液の漏出を防止すること以外に、その主な目的は、ペニスの表面のできるだけ小さい部分を覆うことにより、精液飛散防止具の使用に起因してパートナーと直接接触する面積が減少するのを可能な限り小さくすること可能となり、性行為等の質向上に顕著な貢献が可能な精液飛散防止具の提供が可能となる。
【図面の簡単な説明】
【００２４】
【図１】本考案の正面図
【図２】同、Ａ−Ａ線断面図
【図３】吸収材の断面図
【図４】使用状態を示す説明図
【考案を実施するための形態】
【００２５】
以下、好ましい考案の一実施形態につき、図面を参照しながら概説する。なお、本考案の実施の形態は、下記の実施形態に何ら限定されることはなく、本考案の技術的範囲に属する限り種々の形態を採りうる。
【００２６】
ゴム部材２は、ラテックスの液体にガラス型を浸漬して、ガラス型表面に溶融ラテックスを付着させることによって成型するといった一般的なコンドームと同様の素材・製法で形成すれば良い。
【００２７】
ゴム部材２の形状は尿道口を塞ぎ、かつ射精された精子を捕集可能な程度の大きさの吸収材３を装備出来るほどの形状であれば、特に限定されないが、円形が好ましい。吸収材３の面積を大きく取れるからである。また、出来る限り吸収材３の面積を大きく取り、且つ亀頭を覆う面積を少なくするという相反する要求に最も対応可能なゴム部材２の大きさは、請求３に記載の通り、直径２〜３センチメートルの円形となる。
【００２８】
吸収材３は図３に示すように繊維シート３ａ内に高吸収性ポリマー３ｂを装入したものである。
【００２９】
繊維シート３ａは、液透過性の不織布等を特に制限なく用いることができる。
【００３０】
高吸収性ポリマー３ｂとしては、例えば、デンプンや架橋カルボキシルメチル化セルロース、アクリル酸又はアクリル酸アルカリ金属塩の重合体又は共重合体等、ポリアクリル酸及びその塩並びにポリアクリル酸塩グラフト重合体を挙げることができる。ポリアクリル酸塩としては、ナトリウム塩を好ましく用いることができる。また、アクリル酸にマレイン酸、イタコン酸、アクリルアミド、２−アクリルアミド−２−メチルプロパンスルホン酸、２−（メタ）アクリロイルエタンスルホン酸、２−ヒドロキシエチル（メタ）アクリレート又はスチレンスルホン酸等のコモノマーを高吸収性ポリマーの性能を低下させない範囲で共重合させた共重合体も好ましく使用できる。高吸収性ポリマー３ｂの形状は、球状、塊状、ブドウ状、粉末状又は繊維状であり得るが、繊維シート３ａへ入り込み、そこへの担持のされ易さの観点から、塊状が好ましい。また、同様の観点から、高吸収性ポリマー３ｂの大きさは、１００〜１０００μｍであることが好ましく、２００〜８００μｍであることが更に好ましい。
【００３１】
図１、図２に示されるようにゴム部材２のの亀頭と接する側の周縁部には接着剤４が塗布されている。
【００３２】
塗布された接着剤４は、皮膚に対して非刺激性であり、且つ、非毒性であり合成または天然の接着剤を塗布することができ、好ましくは、接着剤は一般に外科用膏剤に応用される接着剤が用いられる。
【００３３】
かかる接着剤４としては、極めて多くの適切な接着剤が公知であり、具体的ポリスチレンコポリマー、エチレン／酢酸ビニル誘導体、ポリブタジエン類、ポリイソブチレン類、アクリルまたはメタクリルポリマー類等を利用可能である。
【００３４】
上記に列記した接着剤の主成分は基本ポリマーであるが、当該接着剤は異なった組成を有していてもよく、無毒で、皮膚に対して非刺激性で、且つコンドームの材料および／または適用された抗炎症剤、殺精子剤、潤滑剤または存在する他の材料と相互作用しないものであれば、如何なる接着剤も、本考案による精液飛散防止具の接着剤層を形成するために適している。
【符号の説明】
【００３５】
１・・精液飛散防止具
２・・ゴム部材
３・・吸収材
４・・接着剤
【図１】
0003186770.tif 000003
【図２】
0003186770.tif 000004
【図３】
0003186770.tif 000005
【図４】
0003186770.tif 000006